【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
被写体像を撮像して第１の画像データを生成する撮像手段と、
前記撮像手段により生成された第１の画像データから、当該第１の画像データよりも画素数の小さい第２の画像データを切り出すデジタルズームを行うデジタルズーム手段と、
記録手段に記録する画像データの画素数として、複数の所定の画素数の中から一の画素数を設定する記録設定手段と、
前記記録設定手段によって設定された画素数に基づき、当該画素数よりも前記第２の画像データの画素数が大きくなる範囲において前記デジタルズームがなされる第１のデジタルズーム範囲の上限を算出する算出手段と、
前記算出手段によって算出された第１のデジタルズーム範囲の上限を表示する表示手段と
を備えることを特徴とする電子カメラ。
【請求項２】
前記算出手段は、
前記記録設定手段によって設定された画素数に基づき、当該画素数よりも前記第２の画像データの画素数よりも小さくなる範囲において前記デジタルズームがなされる第２のデジタルズーム範囲の上限を算出し、
前記表示手段は、
前記算出手段によって算出された第１のデジタルズーム範囲の上限と第２のデジタルズーム範囲の上限とを表示する
ことを特徴とする請求項１記載の電子カメラ。
【請求項３】
前記表示手段は、
前記算出手段によって算出された前記第１のデジタルズーム範囲の上限に応じた大きさでなる第１のデジタルズーム領域を表示する
ことを特徴とする請求項１又は２記載の電子カメラ。
【請求項４】
前記表示手段は、
前記算出手段によって算出された前記第２のデジタルズーム範囲の上限に応じた大きさでなる第２のデジタルズーム領域を表示する
ことを特徴とする請求項２又は３記載の電子カメラ。
【請求項５】
光学ズームを行う光学ズーム手段を備え、
前記表示手段は、
前記光学ズームがなされる光学ズーム範囲を表示することを特徴とする請求項１から４いずれか１項に記載の電子カメラ。
【請求項６】
ズーム範囲として、前記光学ズーム範囲と前記第１のデジタルズーム範囲とを含む非劣化ズーム範囲、または前記非劣化ズーム範囲と前記第２のデジタルズーム範囲とを含む全ズーム範囲、のいずれかのズーム範囲を設定するズーム範囲設定手段と、
前記デジタルズーム手段は、前記ズーム範囲設定手段によって前記非劣化ズーム範囲が設定された場合、前記第１のデジタルズーム範囲において前記デジタルズームを行う
ことを特徴とする請求項２から５いずれか１項に記載の電子カメラ。
【請求項７】
ズームを指示するズーム指示手段と、
前記ズーム指示手段によりワイド端からのズームの指示がなされた場合、最初に前記ワイド端からデジタルズームを行わせるよう前記デジタルズーム手段を制御するズーム制御手段と、
を備えることを特徴とする請求項５又は６記載の電子カメラ。
【請求項８】
被写体像を撮像して第１の画像データを生成する撮像ステップと、
前記撮像ステップにおいて生成された第１の画像データから、当該第１の画像データよりも画素数の小さい第２の画像データを切り出すデジタルズームを行うデジタルズームステップと、
記録手段に記録する画像データの画素数として、複数の所定の画素数の中から一の画素数を設定する記録設定ステップと、
前記記録設定ステップにおいて設定された画素数に基づき、当該画素数よりも前記第２の画像データの画素数が大きくなる範囲において前記デジタルズームがなされる第１のデジタルズーム範囲の上限を算出する算出ステップと、
前記算出ステップにおいて算出された第１のデジタルズーム範囲の上限を表示手段に表示する表示ステップと
を含むことを特徴とするズーム範囲表示方法。
【請求項９】
被写体像を撮像して第１の画像データを生成する撮像手段を備える電子カメラのコンピュータを、
前記撮像手段により生成された第１の画像データから、当該第１の画像データよりも画素数の小さい第２の画像データを切り出すデジタルズームを行うデジタルズーム手段、
記録手段に記録する画像データの画素数として、複数の所定の画素数の中から一の画素数を設定する記録設定手段、
前記記録設定手段によって設定された画素数に基づき、当該画素数よりも前記第２の画像データの画素数が大きくなる範囲において前記デジタルズームがなされる第１のデジタルズーム範囲の上限を算出する算出手段、
前記算出手段によって算出された第１のデジタルズーム範囲の上限を表示手段に表示させる表示制御手段、
として機能させるプログラム。
【手続補正２】
【補正対象書類名】明細書
【補正対象項目名】発明の名称
【補正方法】変更
【補正の内容】
【発明の名称】電子カメラ、ズーム範囲表示方法、及びプログラム
【手続補正３】
【補正対象書類名】明細書
【補正対象項目名】０００８
【補正方法】変更
【補正の内容】
【０００８】
本発明は上記課題を解決するためになされたものであり、ユーザが画質の劣化が生じるズーム範囲を予め認識できるようにして撮影時における画質の劣化を防止し得る、電子カメラ、ズーム範囲表示方法、及びプログラムの提供を目的とする。
【手続補正４】
【補正対象書類名】明細書
【補正対象項目名】０００９
【補正方法】変更
【補正の内容】
【０００９】
上記課題を解決するために、請求項１記載の発明では、被写体像を撮像して第１の画像データを生成する撮像手段と、前記撮像手段により生成された第１の画像データから、当該第１の画像データよりも画素数の小さい第２の画像データを切り出すデジタルズームを行うデジタルズーム手段と、記録手段に記録する画像データの画素数として、複数の所定の画素数の中から一の画素数を設定する記録設定手段と、前記記録設定手段によって設定された画素数に基づき、当該画素数よりも前記第２の画像データの画素数が大きくなる範囲において前記デジタルズームがなされる第１のデジタルズーム範囲の上限を算出する算出手段と、前記算出手段によって算出された第１のデジタルズーム範囲の上限を表示する表示手段とを備えることを特徴とする電子カメラを提供する。
【手続補正５】
【補正対象書類名】明細書
【補正対象項目名】００１０
【補正方法】変更
【補正の内容】
【００１０】
また、請求項２記載の発明では、前記算出手段は、前記記録設定手段によって設定された画素数に基づき、当該画素数よりも前記第２の画像データの画素数よりも小さくなる範囲において前記デジタルズームがなされる第２のデジタルズーム範囲の上限を算出し、前記表示手段は、前記算出手段によって算出された第１のデジタルズーム範囲の上限と第２のデジタルズーム範囲の上限とを表示することを特徴とする請求項１記載の電子カメラを提供する。
【手続補正６】
【補正対象書類名】明細書
【補正対象項目名】００１１
【補正方法】変更
【補正の内容】
【００１１】
また、請求項３記載の発明では、前記表示手段は、前記算出手段によって算出された前記第１のデジタルズーム範囲の上限に応じた大きさでなる第１のデジタルズーム領域を表示することを特徴とする請求項１又は２記載の電子カメラを提供する。
【手続補正７】
【補正対象書類名】明細書
【補正対象項目名】００１２
【補正方法】変更
【補正の内容】
【００１２】
また、請求項４記載の発明では、前記表示手段は、前記算出手段によって算出された前記第２のデジタルズーム範囲の上限に応じた大きさでなる第２のデジタルズーム領域を表示することを特徴とする請求項２又は３記載の電子カメラを提供する。
【手続補正８】
【補正対象書類名】明細書
【補正対象項目名】００１３
【補正方法】変更
【補正の内容】
【００１３】
また、請求項５記載の発明では、ズーム範囲として、前記非劣化ズーム範囲、または前記非劣化ズーム範囲と前記劣化ズーム範囲とを含む全ズーム範囲、のいずれかのズーム範囲を設定するズーム範囲設定手段と、
前記ズーム範囲設定手段により設定されたズーム範囲において、前記デジタルズームを行うよう前記デジタルズーム手段を制御するデジタルズーム制御手段と
を備えることを特徴とする請求項２から４いずれか１項に記載の電子カメラを提供する。
【手続補正９】
【補正対象書類名】明細書
【補正対象項目名】００１４
【補正方法】変更
【補正の内容】
【００１４】
また、請求項６記載の発明では、光学ズームを行う光学ズーム手段を備え、前記表示手段は、前記光学ズームがなされる光学ズーム範囲を表示することを特徴とする請求項１から５いずれか１項に記載の電子カメラを提供する。
【手続補正１０】
【補正対象書類名】明細書
【補正対象項目名】００１５
【補正方法】変更
【補正の内容】
【００１５】
また、請求項７記載の発明では、ズームを指示するズーム指示手段と、前記ズーム指示手段によりワイド端からのズームの指示がなされた場合、最初に前記ワイド端からデジタルズームを行わせるよう前記デジタルズーム手段を制御するズーム制御手段と、
を備えることを特徴とする請求項５又は６記載の電子カメラを提供する。
【手続補正１１】
【補正対象書類名】明細書
【補正対象項目名】００１６
【補正方法】変更
【補正の内容】
【００１６】
また、請求項８記載の発明では、被写体像を撮像して第１の画像データを生成する撮像ステップと、前記撮像ステップにおいて生成された第１の画像データから、当該第１の画像データよりも画素数の小さい第２の画像データを切り出すデジタルズームを行うデジタルズームステップと、記録手段に記録する画像データの画素数として、複数の所定の画素数の中から一の画素数を設定する記録設定ステップと、前記記録設定ステップにおいて設定された画素数に基づき、当該画素数よりも前記第２の画像データの画素数が大きくなる範囲において前記デジタルズームがなされる第１のデジタルズーム範囲の上限を算出する算出ステップと、前記算出ステップにおいて算出された第１のデジタルズーム範囲の上限を表示手段に表示する表示ステップとを含むことを特徴とするズーム範囲表示方法を提供する。
【手続補正１２】
【補正対象書類名】明細書
【補正対象項目名】００１７
【補正方法】変更
【補正の内容】
【００１７】
また、請求項９記載の発明では、被写体像を撮像して第１の画像データを生成する撮像手段を備える電子カメラのコンピュータを、前記撮像手段により生成された第１の画像データから、当該第１の画像データよりも画素数の小さい第２の画像データを切り出すデジタルズームを行うデジタルズーム手段、記録手段に記録する画像データの画素数として、複数の所定の画素数の中から一の画素数を設定する記録設定手段、前記記録設定手段によって設定された画素数に基づき、当該画素数よりも前記第２の画像データの画素数が大きくなる範囲において前記デジタルズームがなされる第１のデジタルズーム範囲の上限を算出する算出手段、前記算出手段によって算出された第１のデジタルズーム範囲の上限を表示手段に表示させる表示制御手段、として機能させるプログラムを提供する。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
本発明によれば、記録する画像データの画素数よりも、デジタルズームがなされた画像データの画素数が大きくなるズーム範囲の上限を表示するので、画質の劣化が生じるズーム範囲を予め認識できる。